(57)【要約】      （修正有）【課題】複数頁からなる一連の読み取り画像を原稿毎の別々のファイルに保存する画像処理装置、処理方法及びプログラムを提供する。【解決手段】原稿台に載置された原稿を上部の撮像素子で読み取って画像データを取得する画像取得部１００と、画像取得部１００によって取得された画像内の特徴領域（余白部分の微小領域）における色値を取得する特徴領域情報取得部１０１と、取得した画像データの色値と原稿台の色値の差から原稿の有無を検知するとともに、原稿変更判定値記憶部１０２に記憶されている前回の検知結果との差から原稿が変更されたことを検知する原稿変更判定部１０３と、原稿の画像データをファイルデータとして出力する画像出力部１０５を備える。原稿の変更有りと判定された場合には、変更有りと判定された直前に読み取った画像データをファイルデータとして記憶部に出力する。【選択図】図２
2016127501.tif 000002
【特許請求の範囲】
【請求項１】
原稿台に置かれた原稿を読み取って画像データを取得する画像取得部と、
前記画像取得部によって取得された前記画像データの特徴領域の色値を、原稿変更判定用の基準値と比較した差分の大きさから前記原稿の変更の有無を判定する原稿変更判定部と、
前記画像データを出力する画像出力部と、を備え、
前記画像出力部は、前記原稿変更判定部が前記原稿の変更有りと判定した場合、前記画像データをファイルデータとして出力することを特徴とする画像処理装置。
【請求項２】
原稿台に置かれた原稿を読み取って画像データを取得する画像取得部と、
前記画像取得部によって取得された前記画像データの特徴領域の色値を、原稿変更判定用の基準値および前記原稿台の色値と比較した差分の大きさから前記原稿の変更の有無を判定する原稿変更判定部と、
前記画像データを出力する画像出力部と、を備え、
前記画像出力部は、前記原稿変更判定部が前記原稿の変更有りと判定した場合、前記画像データをファイルデータとして出力することを特徴とする画像処理装置。
【請求項３】
前記画像出力部は、最初に読み取った原稿の画像データから、変更有りと判定された直前に読み取った原稿の画像データまでを前記ファイルデータとして出力することを特徴とする請求項１または２に記載の画像処理装置。
【請求項４】
前記原稿の変更有りと判定された直後に読み取った原稿の画像データの特徴領域の色値を、新たな原稿変更判定用の基準値として設定する原稿変更判定値更新部を備え、
前記原稿変更判定部は、特徴領域の色値を、前記原稿変更判定値更新部によって設定された新たな原稿判定用の基準値および前記原稿台の色値と比較した差分の大きさから前記原稿の変更の有無を判定することを特徴とする請求項２または３に記載の画像処理装置。
【請求項５】
前記画像データにおいて、原稿台に置かれた原稿部分の領域である原稿領域を抽出する原稿領域抽出部と、
前記原稿領域抽出部によって抽出された前記原稿領域を基に、前記特徴領域を新たに設定する特徴領域設定部と、を備え、
前記特徴領域設定部は、前記原稿の変更有りと判定した場合に前記特徴領域を新たに設定することを特徴とする請求項１乃至４のいずれか一項に記載の画像処理装置。
【請求項６】
前記画像出力部は、外部装置に前記ファイルデータを出力することを特徴とする請求項１乃至５のいずれか一項に記載の画像処理装置。
【請求項７】
原稿台に置かれた原稿を読み取って画像データを取得する工程と、
取得された前記画像データの特徴領域の色値を、原稿変更判定用の基準値と比較した差分の大きさから前記原稿の変更の有無を判定する工程と、
前記画像データを出力する工程と、
前記原稿の変更有りと判定した場合、前記画像データをファイルデータとして出力する工程と、
を備えたことを特徴とする画像処理方法。
【請求項８】
原稿台に置かれた原稿を読み取って画像データを取得する工程と、
取得された前記画像データの特徴領域の色値を、原稿変更判定用の基準値および前記原稿台の色値と比較した差分の大きさから前記原稿の変更の有無を判定する工程と、
前記画像データを出力する工程と、
前記原稿の変更有りと判定した場合、前記画像データをファイルデータとして出力する工程と、
を備えたことを特徴とする画像処理方法。
【請求項９】
画像取得部、原稿変更判定部、及び画像出力部を備えた画像処理装置のコンピュータが読取可能なプログラムであって、
前記コンピュータに、
前記画像取得部が、原稿台に置かれた原稿を読み取って画像データを取得する手順、
前記原稿変更判定部が、前記画像取得部によって取得された前記画像データの特徴領域の色値を、原稿変更判定用の基準値と比較した差分の大きさから前記原稿の変更の有無を判定する手順、
前記画像出力部が、前記画像データを出力する際に、前記原稿変更判定部が前記原稿の変更有りと判定した場合、前記画像データをファイルデータとして出力する手順、
を実行させるためのプログラム。
【請求項１０】
画像取得部、原稿変更判定部、及び画像出力部を備えた画像処理装置のコンピュータが読取可能なプログラムであって、
前記コンピュータに、
前記画像取得部が、原稿台に置かれた原稿を読み取って画像データを取得する手順、
前記原稿変更判定部が、前記画像取得部によって取得された前記画像データの特徴領域の色値を、原稿変更判定用の基準値および前記原稿台の色値と比較した差分の大きさから前記原稿の変更の有無を判定する手順、
前記画像出力部が、前記画像データを出力する際に、前記原稿変更判定部が前記原稿の変更有りと判定した場合、前記画像データをファイルデータとして出力する手順、
を実行させるためのプログラム。
【発明の詳細な説明】
【技術分野】
【０００１】
本発明は、画像処理装置、画像処理方法、及びプログラムに関する。
【背景技術】
【０００２】
従来のフラットベッドスキャナでは、製本された原稿を読み取る際、ユーザが１頁毎にめくり、ひっくり返して読み取り台に置き、読み取り開始のボタンを押すという作業を繰り返さねばならず、操作の手間がかかる。また原稿を差し込んで読み込ませるシートスルースキャナでは、綴じ部を切り落として１枚毎に分解する必要があり、製本原稿へのダメージが大きい。
【０００３】
そこで、原稿台の上部に撮像装置を配置し、原稿台上に広げた製本を上方から頁をめくりながら読み取りができるブックスキャナという読取装置が商品化され、普及し始めている。
【０００４】
このブックスキャナの操作性をさらに向上させるために、ユーザの動作に応答して、自動で読み取りを行う技術が考えられ既に知られている（例えば、特許文献１、２参照。）。
【発明の概要】
【発明が解決しようとする課題】
【０００５】
しかし、今までのブックスキャナでの読み取りの操作性を向上させる技術では、ユーザの動作に応答して、自動で読み取りを行っているにすぎなかった。例えば、複数頁からなる一連の原稿の途中で異なる原稿が混ざっている、もしくは切り替えられた場合でも、そのまま動作に応じて読み取りを続けてしまい、読み取り画像を原稿毎に別々のファイルに保存することができない問題があった。
【０００６】
また、特許文献１には、原稿の読み取り操作性を向上させる目的で、エリアセンサとリニアセンサを持ち、エリアセンサを用いて複数の画像を連続で取得し、取得された画像の特徴点における速度ベクトルに基づいて、エリアセンサでの画像読み取りを開始する構成が開示されている。
しかし、読み取り画像を原稿毎に別々のファイルに保存できないという問題は解消できていない。
また、特許文献２には、原稿を手等で押さえながら、画像を読み取らせる目的で、紙面及び原稿台を撮影し、撮影画像内の特定領域にて手指を認識し、認識した手指が一定時間以上静止していると検出した際に、画像を記録する構成が開示されている。
しかし、読み取り画像を原稿毎に別々のファイルに保存できないという問題は解消できていない。
【０００７】
そこで、本発明の目的は、読み取り画像を複数頁からなる一連の原稿毎に別々のファイルに保存することにある。
【課題を解決するための手段】
【０００８】
上記課題を解決するため、請求項１に記載の発明は、原稿台に置かれた原稿を読み取って画像データを取得する画像取得部と、前記画像取得部によって取得された前記画像データの特徴領域の色値を、原稿変更判定用の基準値と比較した差分の大きさから前記原稿の変更の有無を判定する原稿変更判定部と、前記画像データを出力する画像出力部と、を備え、前記画像出力部は、前記原稿変更判定部が前記原稿の変更有りと判定した場合、前記画像データをファイルデータとして出力することを特徴とする。
【発明の効果】
【０００９】
本発明によれば、読み取り画像を複数頁からなる一連の原稿毎に別々のファイルに保存することができる。
【図面の簡単な説明】
【００１０】
【図１】本発明の画像処理装置の外観図である。
【図２】本発明の一実施形態に係る全体構成図である。
【図３】図１に示した画像処理装置の動作を説明するためのフローの一例である。
【図４】撮像装置としてのスキャナ装置全体の処理フローの一例である。
【図５】（ａ）、（ｂ）は、原稿変更判定処理の具体的な例を説明するための説明図である。
【図６】（ａ）、（ｂ）、（ｃ）は特徴領域の設定例を示す図である。
【図７】図１に示した画像処理装置による画像の記憶、出力の動作についての説明図である。
【図８】他の実施形態に係る機能ブロック図である。
【図９】図８に示した画像処理装置の動作を説明するためのフローである。
【図１０】原稿変更判定値の初期値設定のフローを示した図である。
【図１１】原稿変更判定値の初期値設定のフローを示した図である。
【図１２】原稿変更判定と基準値更新処理との具体的な例を示した図である。
【図１３】本発明の他の実施形態に係る機能ブロック図である。
【図１４】図１３に示した画像処理装置の動作を説明するためのフローである。
【図１５】（ａ）、（ｂ）は、特徴領域の設定が固定の場合の例を説明する図である。
【図１６】（ａ）、（ｂ）は、特徴領域を、原稿に応じて設定した例を示した図である。
【発明を実施するための形態】
【００１１】
本発明の実施の形態を説明する。
＜概  要＞
具体的には、ブックスキャナを用いた画像の自動読み取りに際して、以下の特徴を有する。要するに、本発明は、画像域内の特徴領域の情報を取得し、特徴領域の情報と基準値を比較し、特徴領域の情報と基準値が異なる場合に、別のファイルに切り替えて画像保存を行うことである。尚、特徴領域とは、後述する×印自体を指しており、１もしくは数画素程度の狭い領域を指し、原稿の余白領域に設定される。
上記特徴について、以下の図面を用いて具体的に解説する。
【００１２】
＜実施形態１＞
［構  成］
図１、２を用いて本発明の画像処理装置の構成について、詳細に説明する。
図１は、本発明の画像処理装置の外観図であり、図２は、本発明の一実施形態に係る全体構成図である。
図１に示す画像処理装置は、画像を取得するための撮像装置20と、原稿40を配置するための原稿台30と、画像処理装置で行う動作の各種指示や演算を行う制御装置10を少なくとも含む。
撮像装置20は、例えば、原稿40を照明する照明装置、原稿40からの反射光を集光するレンズ、レンズの出射側に配置されて原稿40からの反射光を読み取って電気信号に変換する撮像素子、及び原稿台30に取り付けられた筐体を有する装置である。撮像装置20は、原稿台30上に読取対象としての原稿の位置及び有無を検知するセンサを有する。センサとしては例えば、反射型光学センサが挙げられる。
制御装置10は、PC(Personal Computer)やタブレット端末等の機器でも良く、撮像装置20や原稿台30に付帯した一体型のものでも良い。
【００１３】
図２に示す画像処理装置は、画像取得部100と、特徴領域情報取得部101と、原稿変更判定値記憶部102と、原稿変更判定部103と、画像蓄積部104と、画像出力部105と、を有する。尚、画像出力部105に記憶部110が接続されているが、これは、着脱自在な記憶部110であって記憶部110を外部装置として使用してもよい。
画像取得部100は、原稿台30に置かれた原稿40を読み取って画像データを取得する機能を有し、撮像装置20によって実現される。特徴領域情報取得部101は、取得した画像内の特徴領域における色値を取得する機能を有し、制御装置10によって実現される。ここで、特徴領域は原稿40の余白部分に設定される点に近い微小な領域である。
【００１４】
原稿変更判定部103は、画像取得部100によって取得された画像データの色値を、基準値と比較した差分の大きさから原稿40の変更の有無を判定する機能を有し、制御装置10によって実現される。原稿変更判定部103は、基準値を原稿台30の色値とし、検知前後の検知結果の差が閾値以上であった場合に原稿40が変更されたと判定する機能を有してもよい。
原稿変更判定値記憶部102は、原稿40の変化を判定する基準値を記憶する機能を有し、制御装置10によって実現される。ここで、原稿40の変化とは、例えば、原稿40が原稿台30の上に置かれたり、ページがめくられたり、原稿40が排除、交換された場合を含む。
【００１５】
画像蓄積部104は、画像取得部100で取得した画像のデータを蓄積する機能を有し、制御装置10によって実現される。記憶部110は、画像出力部105から出力される画像データを記憶する機能を有し、フラッシュメモリにより実現される。画像出力部105は、画像データを出力する機能を有し、制御装置10によって実現される。
画像出力部105は、原稿変更判定部103が原稿40の変更有りと判定した場合、画像データをファイルデータとして出力する機能を有し、制御装置10によって実現される。画像出力部105は、原稿変更判定部103が原稿40の変更有りと判定した場合、最初に読み取った原稿の画像データ又は変更有りと判定された直後に読み取った原稿40の画像データから、変更有りと判定された直前に読み取った原稿40の画像データまでをファイルデータとして出力することができる。
【００１６】
［動  作］
図３は、図１に示した画像処理装置の動作を説明するためのフローの一例である。
まず、原稿変更判定部103は、原稿変更判定値記憶部102より、原稿40の変化を判定する基準値を取得する（S100）。
次に、画像取得部100は、センサにて原稿台30上に載置された原稿40を読み取って画像を取得する（S101）。
続いて、特徴領域情報取得部101は、取得した画像内の特徴領域の色値を取得する（S102）。
特徴領域は、取得した画像内の１以上の画素から成る画素群であり、画像内の原稿40の存在する可能性が高い画素が選択される。
さらに、原稿変更判定部103は、取得した特徴領域の色値と、原稿変化の判定基準値とを比較する。原稿変更判定部103は、差分が閾値以上の場合、原稿40の変更ありと判定しS104へ進み、閾値以下であった場合、原稿の変更なしと判定し、S101へと戻り、画像の変更があるまで画像取得、特徴領域の色値取得が繰り返される(S103）。原稿変更判定部103は、変更有りと判定された場合、画像出力部105は、画像蓄積部104より、記憶されている画像を取得して、ファイルに出力する（S104）。
ファイルへの出力が完了すると、画像出力部105は、画像蓄積部104内の画像を消去する（S105）。
【００１７】
図４は、撮像装置としてのスキャナ装置全体の処理フローの一例である。
スキャナ装置は、撮影準備が整うと、図３に示したフローにて原稿変更の監視を開始する（S10）。
原稿40の監視をしながらユーザからの撮影指示を待ち（S20）、撮影指示があれば原稿40を撮影し（S30）、原稿40の監視に戻る。
撮影指示がなければ、さらに、撮影終了の指示を確認し（S40）、撮影終了の指示があれば、それまで撮影した画像をファイルに出力し（S50）、撮影を終了する。終了の指示がなければ、原稿40の監視に戻る。
【００１８】
図５（ａ）、（ｂ）は、原稿変更判定処理の具体的な例を説明するための説明図である。
画像取得部100が画像の取得を実施すると、図５（ａ）、（ｂ）に示すように原稿台30全域の画像が得られる。
この画像から、予め設定しておいた特徴領域の色値を取得する。
最も一般的な例としては、図５（ａ）、（ｂ）に示すように中央の領域50を特徴領域と設定することが考えられる。
色値はRGB(Red Green Blue)等の色信号によって得られる。
特徴領域が複数の画素であった場合、各画素の色値の平均を使用すればよい。
昨今では、より細かい波長領域毎に区切って得られるマルチバンドセンサ等もあり、得られる情報は使用するセンサの出力形式に依存する。
得られた特徴領域の色値と、原稿変更判定の基準値とを比較する。ここで、画像データは各画素をRGB値で表したものの集合となっているのが一般的であり、RGB値自体を比較する方法が挙げられる。また、数式（１）で示した変換式でRGBをYCrCbに変換してもよい。その他にもRGBから変換可能なYUVやLab等各種色信号にて比較できる。また、色値とは画像データの各画素を構成する信号値である。
基準値には原稿台30の背景の色値を予め取得しておいて使用することができる。
【００１９】
図５（ａ）のように原稿台30上に原稿40が置かれていた場合、特徴領域の情報の取得で得られる色信号値は原稿の用紙や用紙に印刷された色材の色値であり、背景の情報とは異なる値と判定される。
原稿40の置き換えが行われる場合には、（ｂ）のように、少なくとも一度は原稿台30が現れることとなる。
このため異なる値であった場合は、原稿40の置き換えはなかったものと判断する。
同一の値と判定された場合には、原稿40の置き換えがあったと判断して、ファイルへの出力を実施する。
色値が同一か否かの判定は、RGB値を比較するか、もしくは式(１)に示すように反対色信号のYCbCrやYUVに変換して比較することで、判定できる。
【００２０】
尚、繰り返し撮影した場合には、装置の状態や撮影環境の変化により、同一のものを撮影しても色信号値は完全に一致しないことが多いため、判定ではセンサの能力に応じて、多少の余裕を持たせることが好ましい。
どの程度の余裕度を持たせるべきかについては、装置設置時に原稿台30を複数回撮影し、取得した色値の偏差から決定することができる。
【００２１】
【数１】
2016127501.tif 000003
【００２２】
図６（ａ）、（ｂ）、（ｃ）は特徴領域の設定例を示す図である。
図６（ａ）に示すように中央で取得するのが最も簡易で、一般的な方法であるが、左上端基準に原稿を設定された場合は、原稿と特徴領域の位置がかぶらない場合が考えられる。
そこで、複数の特徴領域を設定するようにしても良い。
例えば、図６（ｂ）のように中央に加えて、中央と頂点を繋いだ線分の中点に特徴領域を追加する方法や、図６（ｃ）のようにさらにその特徴領域間の中点に追加する方法などを用いても良い。
複数の特徴領域を設定した場合には、いずれか１つの特徴領域で基準値と異なると判定された場合に、原稿の変更なしと判定するようにすればよい。
【００２３】
図７は、図１に示した画像処理装置による画像の記憶、出力の動作についての説明図である。
S1に示すように、画像取得部100は、一定の周期で連続的に画像を取得する。
取得する各画像について、リアルタイムに原稿変更があるか否かの判定や、保存の処理が行われる。
S2-aのように取得した画像に原稿が存在し、原稿の変更がないと判定されると、S3-aに示すように画像蓄積部104はPCや外部の記憶装置等出力先デバイスへのファイル出力は行わず、S-4に示すように次の画像取得へと進む。
S2-bのように取得した画像に原稿が存在せず、変更があると判定されると、S3-bに示すように画像蓄積部104に蓄積されていた画像は、PCや外部の記憶装置等出力先デバイスにファイル出力される。これと共に、蓄積されていた画像は消去され、同様にS4の次の画像取得へと進む。
S1で画像を取得した際にユーザから撮影指示があると、S2-cに示すように取得した画像は画像蓄積部104へと追加で蓄積され、同様にS4の次の画像取得へと進む。
【００２４】
＜実施形態２＞
原稿40が製本されたものでなく、シート状である場合、一連の原稿40のスキャン中に原稿台30から原稿40が移動されることが想定される。
その場合、上記の実施形態に記載したような、原稿台30が現れたか否かで原稿40の変更を判定すると、頁毎にファイルが保存されることとなってしまう。
そこで、シート状のスキャンを実施した場合でも、原稿毎にファイルが保存できるようにする。
【００２５】
図８、９を参照して、本発明の画像処理装置について詳細に説明する。
［構  成］
実施形態２の画像処理装置の外観図は図１と同様のため、説明を省略する。
図８は、他の実施形態に係る機能ブロック図である。
図８に示す画像処理装置は、画像取得部200と、特徴領域情報取得部201と、原稿変更判定値記憶部202と、原稿変更判定部203と、画像蓄積部204と、画像出力部205と、原稿変更判定値更新部206と、記憶部210と、を有する。
【００２６】
画像取得部200と、特徴領域情報取得部201と、原稿変更判定値記憶部202と、原稿変更判定部203と、画像蓄積部204と、画像出力部205と、記憶部210とは、図２に示した画像取得部100と、特徴領域情報取得部101と、原稿変更判定値記憶部102と、原稿変更判定部103と、画像蓄積部104と、画像出力部105と同様のため、説明を省略する。
原稿変更判定値更新部206は、特徴領域情報取得部201にて取得した特徴領域の情報を基に、原稿変更判定値記憶部202に記憶された基準値を更新する機能を有し、制御装置10によって実現される。
【００２７】
［動  作］
図９は、図８に示した画像処理装置の動作を説明するためのフローである。
S200の原稿変更の判定基準値の取得から、S202の特徴領域情報の取得は、S100〜102と同様に行われる。
次に、原稿変更判定部203は、取得した特徴領域の情報が原稿台の色と同じか否かを判定する（S203）。
原稿台30の色と同じであると判定した場合、原稿40の置き換え中であると判断し、S201の画像の取得へ戻る。
原稿台30の色と異なった場合、S204の原稿変更の判定が、S103と同様に行われる。
ここで、原稿40の変更がないと判定された場合も、S201の画像の取得へ戻る。
原稿30の変更があると判定された場合、S205のファイル出力、S206の蓄積画像の消去が、S104、105と同様に行われる。
原稿変更判定値更新部206は、S202で取得した特徴領域の色値の平均値を新たな基準値として設定し（S207）、処理を終了する。
【００２８】
図１０は、スキャナ装置全体の処理フローについての説明図である。
スキャナ装置は撮影準備が整うと、原稿変更判定値の初期値を設定する。
以降は前述したS10〜S50と同様に処理が行われる。
【００２９】
図１１は、原稿変更判定値の初期値設定のフローを示した図である。
まず、S601で、センサにて原稿台30上の画像を取得する。
取得した画像に対して、S602で、特徴領域の色値が取得される。
S603で、取得した特徴領域の色値が原稿台30の色と同様か否か判定される。
同様であった場合は、原稿40が置かれていないと判断し、S601の画像取得へ戻る。
原稿台30の色と異なった場合は、S604で、S602で取得した特徴領域の色値の平均値を基準値の初期値として設定する。
なお、各ステップの処理を行う手段には、原稿監視に使用しているものを併用可能で、画像取得部200、特徴領域情報取得部201、原稿変更判定部203、及び原稿変更判定値更新部206をそれぞれ用いることができる。
【００３０】
図１２は、原稿変更判定と基準値更新処理との具体的な例を示した図である。
原稿台30の色値202aとの判定、原稿変更の基準値202bとの判定は、51a〜51eに示したような複数の領域に対して行われる。
全ての領域において取得した色値が原稿台30の色値と同じ場合、原稿台30上に原稿はなく、置き換えの最中であると判断できる。
全ての領域において取得した色値が原稿台30とも、基準値とも異なる場合、異なる背景を持つ、つまり原稿40が変更されたと判断できる。
全ての領域において取得した色値が原稿台30と異なり、かつ、少なくともいずれか１つの色値と基準値との色値の差が閾値以内である場合、原稿40の変更はないと判断できる。
【００３１】
この際、同じ背景を持つ同一の原稿40であっても、51aや51bのようなコンテンツと重なった領域では、頁ごとに異なる色値を取ってしまうこととなる。
さらに、このコンテンツと重なる領域は頁ごとに違うため、少なくともいずれかの特徴領域は背景の情報を持つように、複数の領域を設定することが好ましい。尚、コンテンツと重なる領域とは各頁の文字や画像が形成されている領域を意味する。
【００３２】
尚、原稿変更があった際にも、いずれかの領域にコンテンツが重なっている可能性があるため、新たな基準値を計算する際に、色値が大きく異なる特徴領域は除外するようにするのが良い。
【００３３】
＜実施形態３＞
［構  成］
図１３は、本発明の他の実施形態に係る機能ブロック図である。
図１３に示す画像処理装置は、画像取得部300と、特徴領域情報取得部301と、原稿変更判定値記憶部302と、原稿変更判定部303と、画像蓄積部304と、画像出力部305と、原稿変更判定値更新部306と、原稿領域抽出部307と、特徴領域設定部308と、記憶部310と、を有する。
【００３４】
画像取得部300と、特徴領域情報取得部301と、原稿変更判定値記憶部302と、原稿変更判定部303と、画像蓄積部304と、画像出力部305と、記憶部310とは、図２に示した画像取得部100と、特徴領域情報取得部101と、原稿変更判定値記憶部102と、原稿変更判定部103と、画像蓄積部104と、画像出力部105と同様のため、説明を省略する。
原稿領域抽出部307は、画像取得部300で取得した画像から原稿40が存在する原稿領域を抽出する機能を有し、制御装置10によって実現される。
特徴領域設定部308は、原稿領域抽出部307で抽出された原稿領域の画像サイズに応じて、特徴領域を設定する機能を有し、制御装置10によって実現される。
【００３５】
図１５（ａ）、（ｂ）は、特徴領域の設定が固定の場合の例を説明する図である。
特徴領域が固定の場合、図１５（ａ）のように特徴領域が原稿内に全て含まれている場合は、原稿40内の複数の領域で情報を取得できるので、背景部の情報を取れる見込みが高い。しかし、図１５（ｂ）のように原稿40のサイズが小さく、原稿40内に特徴領域が１点しか含まれない場合、その領域内にコンテンツがあると、背景の情報が得られないことになる。
サイズが小さい原稿0に合わせて中央に特徴領域を集めた場合、特徴領域が纏まって存在するため、その付近に大きなコンテンツがあると、全ての特徴領域がその部分と重なってしまうことがある。
そこで原稿40のサイズに合わせて、適切に特徴領域が設定されることが望まれる。
【００３６】
図１３、１４を用いて、図１３に示した画像処理装置による画像処理について詳細に説明する。
［動作］
図１４は、図１３に示した画像処理装置の動作を説明するためのフローである。
図１４に示したフローのS300〜S306の原稿変更の基準値の取得から記憶画像の消去までは、図９に示したS200〜S206と同様に行われる。
続いて、原稿領域抽出部307は、取得した画像内の原稿領域を抽出する（S307）。
特徴領域設定部308は、抽出した原稿領域を基に、新たな特徴領域を設定する（S308）。
S309にて新たに設定された特徴領域の平均値を取得して、原稿変更判定の基準値として設定する。
尚、本実施形態と同様に原稿変更判定の基準値の初期値の設定に加え、さらに、特徴領域の初期値の設定も必要となる。
【００３７】
図１６（ａ）、（ｂ）は、特徴領域を、原稿に応じて設定した例を示した図である。
まず図１６（ａ）の破線で囲む領域のように、原稿40の縁に沿って領域が抽出される。
原稿領域の抽出には、原稿40を載置する原稿台30に、等間隔に斜めに識別線を印刷し、その識別線を判別して台座領域を求め、その台座領域において原稿40と識別線との交点を求め、交点を直線で繋いだ領域を原稿領域として切り出す方法がある。また、原稿40の直線成分を抽出し、その直線成分と対角方向の走査線との交点を基に、原稿40の輪郭の角の点を取得し、角の点に基づいて原稿40の輪郭外形を取得する方法も挙げられる。
このようにして抽出された原稿40に対して、特徴領域を設定する。
特徴領域は、コンテンツをなるべく含まない領域が好ましく、例えば、中央と原稿四隅付近に相当する以下のP1〜P5に設定する方法が考えられる。
【００３８】
x1 = X×0.05
x2 = X / 2
x3 = X×0.95
y1 = Y×0.05
y2 = Y / 2
y3 = Y×0.95
【００３９】
P1 = [x1, y1]
P2 = [x1, y3]
P3 = [x2, y2]
P4 = [x3, y1]
P5 = [x3, y3]
【００４０】
ここで、X，Yは抽出された原稿領域の横、縦方向の画素数を表す。
ここでは抽出領域端部から５％程度の位置が原稿領域としているが、原稿サイズに応じて余白の幅は変わるので、サイズに応じて特徴領域の設定位置を切り替えるようにしても良い。
【００４１】
＜作用効果＞
以上より、本実施形態によれば、画像内の特徴領域の情報を取得し、特徴領域の情報と基準値を比較し、特徴領域の情報と基準値が異なる場合に、別のファイルに切り替えて画像保存を行う。この結果、ブックスキャナを用いた画像の自動読み取りにおいて、読み取り画像を原稿毎に別々のファイルに保存されるように、保存処理を制御することができる。
また、本実施形態によれば、原稿の背景部を基準値にすることで、頁置き換え時に原稿台が見えてしまうシート原稿にも対応可能である。
さらに、本実施形態によれば、原稿サイズに応じて背景の情報が適切に取得できる特徴領域が設定できる。
【００４２】
＜プログラム＞
以上で説明した本発明に係る画像処理装置は、コンピュータで処理を実行させるプログラムによって実現されている。一例として、プログラムにより本発明の機能を実現する場合の説明を以下で行う。
【００４３】
例えば、
画像取得部、原稿変更判定部、及び画像出力部を備えた画像処理装置のコンピュータが読取可能なプログラムであって、
コンピュータに、
画像取得部が、原稿台に置かれた原稿を読み取って画像データを取得する手順、
原稿変更判定部が、画像取得部によって取得された画像データの特徴領域の色値を、原稿変更判定用の基準値と比較した差分の大きさから原稿の変更の有無を判定する手順、
画像出力部が、画像データを出力する際に、原稿変更判定部が原稿の変更有りと判定した場合、画像データをファイルデータとして出力する手順、
を実行させるためのプログラム、もしくは、
画像取得部、原稿変更判定部、及び画像出力部を備えた画像処理装置のコンピュータが読取可能なプログラムであって、
コンピュータに、
画像取得部が、原稿台に置かれた原稿を読み取って画像データを取得する手順、
原稿変更判定部が、画像取得部によって取得された画像データの特徴領域の色値を、原稿変更判定用の基準値および原稿台の色値と比較した差分の大きさから原稿の変更の有無を判定する手順、
画像出力部が、画像データを出力する際に、原稿変更判定部が原稿の変更有りと判定した場合、画像データをファイルデータとして出力する手順、
を実行させるためのプログラムが挙げられる。
【００４４】
このようなプログラムは、コンピュータに読み取り可能な記憶媒体に記憶されていてもよい。
【００４５】
＜記憶媒体＞
ここで、記憶媒体としては、例えばCD-ROM、フレキシブルディスク（FD）、CD-R等のコンピュータで読み取り可能な記憶媒体、フラッシュメモリ、RAM、ROM、FeRAM等の半導体メモリやHDDが挙げられる。
【００４６】
CD-ROMは、Compact Disc Read Only Memoryの略である。フレキシブルディスクは、Flexible Disk：FDを意味する。CD-Rは、CD Recordableの略である。RAMは、Random-Access Memoryの略である。ROMは、Read-Only Memoryの略である。FeRAMは、Ferroelectric RAMの略で、強誘電体メモリを意味する。HDDは、Hard Disc Driveの略である。
【００４７】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００４８】
１０    制御装置
２０    撮像装置
３０    原稿台
４０    原稿
１００、２００、３００    画像取得部
１０１、２０１、３０１    特徴領域情報取得部
１０２、２０２、３０２    原稿変更判定値記憶部
１０３、２０３、３０３    原稿変更判定部
１０４、２０４、３０４    画像蓄積部
１０５、２０５、３０５    画像出力部
１１０、２１０、３１０    記憶部
２０６、３０６    原稿変更判定値更新部
３０７    原稿領域抽出部
【先行技術文献】
【特許文献】
【００４９】
【特許文献１】特開２０１１−２５４３６６号公報
【特許文献２】特開２０１３−０２６８３０号公報
【図１】
2016127501.tif 000004
【図２】
2016127501.tif 000005
【図３】
2016127501.tif 000006
【図４】
2016127501.tif 000007
【図５】
2016127501.tif 000008
【図６】
2016127501.tif 000009
【図７】
2016127501.tif 000010
【図８】
2016127501.tif 000011
【図９】
2016127501.tif 000012
【図１０】
2016127501.tif 000013
【図１１】
2016127501.tif 000014
【図１２】
2016127501.tif 000015
【図１３】
2016127501.tif 000016
【図１４】
2016127501.tif 000017
【図１５】
2016127501.tif 000018
【図１６】
2016127501.tif 000019